(57)【要約】【課題】  洗濯物が大きい場合等、直達日射量を受ける面を必要に応じて拡大することが可能な物干し具を提供すること。【解決手段】  フック１に吊下げ部材２を経て吊り枠３を水平状に吊持し、この吊り枠３の外周面部の一部に腕杆５，６を水平方向に開動可能に軸支して添設し、この吊り枠３および腕杆５，６にピンチ９を適宜垂設してある。【選択図】  図２
2006346426.tif 000002
【特許請求の範囲】
【請求項１】
フックに吊下げ部材を経て吊り枠を水平状に吊持し、この吊り枠の外周面部の一部に腕杆を水平方向に開動可能に軸支して添設し、この吊り枠および腕杆にピンチを適宜垂設してあることを特徴とする物干し具。
【請求項２】
吊下げ部材がフックとの間に方位角調整部を有し、この方位角調整部は、フックが固定された上位のフック取付部に対して水平回転および停止可能な下位の吊下げ部材取付部を有し、フックに対する吊り枠の方位を調整およびロック可能に形成してあることを特徴とする請求項１記載の物干し具。
【請求項３】
腕杆が開動した位置に仮ロックおよびロック解除可能なロック部を有していることを特徴とする請求項１または２記載の物干し具。
【発明の詳細な説明】
【技術分野】
【０００１】
本発明は洗濯物等を干すのに有用な物干し具に関する。
【背景技術】
【０００２】
特許文献１に記載されているスライドフレーム付物干しハンガーがある。これの構成は、物干しハンガーに溝付フレームを設け、溝付フレームに自由に出入りするスライドフレームを設け、溝付フレームとスライドフレームの両方にピンチを装着したものである。
そして、干す洗濯物が多い時、スライドフレームを引き出し、ピンチの数を増やして洗濯物を干す。すると、より多くの洗濯物を干すことができるとしている。
ところで、干すものが洗濯物である場合、直射日光で照らされる状況が一番であり、特に、太陽光線に正対する状況で照らされるところの所謂直達日射量を受けられる状況がベストである。
この点、特許文献１のものを含む従来の物干し具では、より多くの洗濯物を干すことについての工夫はなされているものの、直達日射量を受けられるように工夫されているものは未だ出現していない。
また、引用文献１のように、より多くの洗濯物を干すことができるものでは、洗濯物が隣に重なり合うようになって太陽で照らされない部位が生じ、乾燥するのに時間がかかる不具合がある。
【特許文献１】特開平７−２９９２９２号公報
【発明の開示】
【発明が解決しようとする課題】
【０００３】
解決しようとする課題は、第１には、洗濯物が大きい場合等、直達日射量を受ける面を必要に応じて拡大することが可能な物干し具を、第２には、さらに、時間の経過とともに移動する太陽を追って直達日射量を最大限に受けることが可能な物干し具を、第３には、さらに、直達日射量を広く受けるための準備操作が容易である物干し具を提供することにある。
【課題を解決するための手段】
【０００４】
本発明は前記した課題を達成するため、以下の構成にしたことを特徴とする。
１．フックに吊下げ部材を経て吊り枠を水平状に吊持し、この吊り枠の外周面部の一部に腕杆を水平方向に開動可能に軸支して添設し、この吊り枠および腕杆にピンチを適宜垂設してあることを特徴とする。
２．前記した１において、吊下げ部材がフックとの間に方位角調整部を有し、この方位角調整部は、フックが固定された上位のフック取付部に対して水平回転および停止可能な下位の吊下げ部材取付部を有し、フックに対する吊り枠の方位を調整およびロック可能に形成してあることを特徴とする。
３．前記した１または２において、腕杆が開動した位置に仮ロックおよびロック解除可能なロック部を有していることを特徴とする。
【０００５】
本発明におけるフックは、竿あるいはロープ等に掛懸可能であればよい。吊下げ部材は、鎖あるいは紐でもよく、吊り枠を吊持可能であればよい。
吊り枠は、四角枠状、三角枠状、丸枠状、これらに類する枠状のものが挙げられる。この吊り枠の外周面部の一部に添設される腕杆は、１つでもよいし、複数であってもよい。腕杆が複数である場合、吊り枠の対角位置に軸支するようにしてもよいし、吊り枠に隣接状に軸支して開き時に一直線状になるようにしてもよい。また、腕杆は長さ調整可能な態様のものであってもよい。
方位角調整部は、フックに対する吊り枠の方位を調整およびロック可能であればよく、その限りにおいて構成上の特段の制限はない。
ロック部は、腕杆を開動した位置に仮ロックおよびロック解除可能な態様のものであればよく、さらに、腕杆を閉動した位置でも仮ロックおよびロック解除可能な態様のものであってもよい。
【発明の効果】
【０００６】
Ａ．請求項１により、吊り枠における腕杆を水平方向に適宜開動することで、吊り枠および腕杆のピンチに吊下げて干す洗濯物を太陽光線と正対する向きに整えることができ、直達日射量を広く拡大して受けさせることができる。
したがって、洗濯物が大きくとも平面状に広げて干すことができ、乾燥が早い。また、腕杆が開くことで風通しが良くなり、多くの洗濯物を干せるし、直達日射量との相乗効果によって、洗濯物の乾燥時間を短縮することができる。
Ｂ．請求項２により、さらに、フックに対する吊り枠の方位を調整およびロックできるので、時間の経過とともに移動する太陽を追って直達日射量を最大限に受けさせることができる。
Ｃ．請求項３により、さらに、腕杆が開動した位置に仮ロックおよびロック解除できるので、直達日射量を広く受けるための準備操作が容易である。
【発明を実施するための最良の形態】
【０００７】
図１〜図８には本発明の物干し具における実施の１形態を例示しており、フック１は竿やロープに掛懸可能に形成してある。このフック１には吊下げ部材２を経て吊り枠３を水平状に吊持してある。
吊下げ部材２は、フック１との間に方位角調整部４を設けてある。方位角調整部４は、フック１の下端軸部１ａが一体的に埋設されて固定された上位のフック取付部４ａと、このフック取付部４ａに対して水平回転および停止可能な下位の吊下げ部材取付部４ｄからなり、フック取付部４ａの縦軸部４ｂには筒状の吊下げ部材取付部４ｄを水平回転可能に吊設すると共に、上下に対向状の吊下げ部材取付部４ｄ下端の歯部４ｅと縦軸部４ｂ下端の歯部４ｃを係脱可能にすることで、フック１に対する吊り枠３の方位を調整およびロック可能に形成してある。
【０００８】
吊下げ部材２の鎖部２ａで四隅を吊持されている吊り枠３は、前後の長辺杆部３ａ，３ｂと、この前後の長辺杆部３ａ，３ｂの端部よりも若干内側に架設してある左右の短辺杆部３ｃ，３ｄとからなる略長四角枠状のもので、前後の長辺杆部３ａ，３ｂ中間部間に補強杆３ｅを架設してある。
そして、前長辺杆右端部３ａ１には右腕杆５前端を軸支すると共にこの右腕杆５後端の係止部５ａを後長辺杆右端部３ｂ１の被係止部３ｂ２に係脱可能に係止することで、右腕杆５を吊り枠３の外周面部の一部である右短辺杆部３ｃ脇に添設し且つ被係止部３ｂ２との係止関係を解くことにより水平方向に開閉動作可能に形成してある。
同様に、後長辺杆左端部３ｂ３には左腕杆６後端を軸支すると共にこの左腕杆６前端の係止部６ａを前長辺杆左端部３ａ２の被係止部３ａ３に係脱可能に係止することで、左腕杆６を吊り枠３の外周面部の一部である左短辺杆部３ｄ脇に添設し且つ被係止部３ａ３との係止関係を解くことにより水平方向に開閉動作可能に形成してある。
【０００９】
右短辺杆部３ｃと右腕杆５間にはロック部７を架設してある。このロック部７は、筒状ガイド７ａと、この筒状ガイド７ａ内をスライド可能なロッド７ｂと、筒状ガイド７ａにロッド７ｂを固定および固定解除可能なビス７ｃからなり、筒状ガイド７ａ端を右短辺杆部３ｃに水平方向に揺動可能に軸支する一方、ロッド７ｂ端を右腕杆５に水平方向に揺動可能に軸支することで、右腕杆５が水平方向に開閉動作するにともない筒状ガイド７ａ内をロッド７ｂがスライドするようにし、且つ、ビス７ｃを締めることにより、右腕杆５を右短辺杆部３ｃと並列状の閉じ位置あるいは適宜半開き位置そして前長辺杆部３ａと横並びに連続状の開き位置に固定し得るように形成してある。また、ビス７ｃを緩めることで右腕杆５の固定状態を解除し得るように形成してある。
【００１０】
同様に、左短辺杆部３ｄと左腕杆６間にはロック部８を架設してある。このロック部８は、筒状ガイド８ａと、この筒状ガイド８ａ内をスライド可能なロッド８ｂと、筒状ガイド８ａにロッド８ｂを固定および固定解除可能なビス８ｃからなり、筒状ガイド８ａ端を左短辺杆部３ｄに水平方向に揺動可能に軸支する一方、ロッド８ｂ端を左腕杆６に水平方向に揺動可能に軸支することで、左腕杆６が水平方向に開閉動作するにともない筒状ガイド８ａ内をロッド８ｂがスライドするようにし、且つ、ビス８ｃを締めることにより、左腕杆６を左短辺杆部３ｄと並列状の閉じ位置あるいは適宜半開き位置そして後長辺杆部３ｂと横並びに連続状の開き位置に固定し得るように形成してある。また、ビス８ｃを緩めることで左腕杆６の固定状態を解除し得るように形成してある。
【００１１】
吊り枠３における前後の長辺杆部３ａ，３ｂおよび左右の短辺杆部３ｃ，３ｄならびに補強杆３ｅそして左右の腕杆５，６には複数のピンチ９を適宜垂設してある。かかる左右の短辺杆部３ｃ，３ｄにおけるピンチ９は設けずともよい。また、補強杆３ｅにおけるピンチ９は設けずともよい。
【００１２】
図８には左右の腕杆５，６を開き位置に固定した状態を示しており、横並びに連続状の前長辺杆部３ａと右腕杆５の長さを加算した大きさの洗濯物を各ピンチ９に渉り広げて吊下げ、方位角調整部４で太陽光線と正対する向きに整え、直達日射量を受けさせられることになる。また、開き位置の左腕杆６に吊下げた洗濯物を太陽光線と正対させて直達日射量を受けさせられることになる。
【００１３】
図９〜図１０には本発明の物干し具における実施の他の１形態を例示しており、構成は前記した図１の態様のものと基本的に同一であるため、共通している構成の説明は符合を準用することで省略し、相違する構成について説明する。
右腕杆５は、先端に先腕杆５ｂを水平方向に開閉動作可能に軸支して、腕の長さを２倍に延長可能に形成してあり、開き位置での半折状態あるいは２倍の腕長さの展開状態のいずれでも洗濯物を太陽光線と正対させて直達日射量を受けさせられるようにしてある。
同様に、左腕杆６は、先端に先腕杆６ｂを水平方向に開閉動作可能に軸支して、腕の長さを２倍に延長可能に形成してあり、開き位置での半折状態あるいは２倍の腕長さの展開状態のいずれでも洗濯物を太陽光線と正対させて直達日射量を受けさせられるようにしてある。
また、開き位置での右腕杆５と先腕杆５ｂ間にはかんぬき１４を右腕杆５と先腕杆５ｂにおけるそれぞれの通し部５ｃに通して横並び状態にロックおよびかんぬき１４を外すことでロック解除可能にしてある。
同様に、開き位置での左腕杆６と先腕杆６ｂ間にはかんぬき１４を左腕杆６と先腕杆６ｂにおけるそれぞれの通し部６ｃに通して横並び状態にロックおよびかんぬき１４を外すことでロック解除可能にしてある。
【００１４】
図１１には本発明の物干し具における実施の他の１形態を例示しており、構成は前記した図１の態様のものと基本的に同一であるため、共通している構成の説明は符合を準用することで省略し、相違する構成について説明する。
吊り枠３は三角枠状に形成してあり、左右の腕杆５，６を開き位置に開動した状態で、右腕杆５と左腕杆６と前辺杆部３ｆが横並びに連続し、前辺杆部３ｆと右腕杆５および左腕杆６の長さを加算した大きさの洗濯物を各ピンチ９に渉り広げて吊下げ、方位角調整部４で太陽光線と正対する向きに整え、直達日射量を受けさせられることになる。
【００１５】
図１２には本発明の物干し具における実施の他の１形態を例示しており、構成は前記した図１の態様のものと基本的に同一であるため、共通している構成の説明は符合を準用することで省略し、相違する構成について説明する。
吊り枠３は丸枠状に形成してあり、左右の１／６円弧状前腕杆１０，１１を開き位置に開動した状態で、右前腕杆１０と左前腕杆１１と前側杆部３ｇが横並びに連続し、前側杆部３ｇと右前腕杆１０および左前腕杆１１の長さを加算した大きさの洗濯物を各ピンチ９に渉り広げて吊下げ、方位角調整部４で太陽光線と正対する向きに整え、直達日射量を受けさせられることになる。
同様に、左右の１／６円弧状後腕杆１２，１３を開き位置に開動した状態で、右後腕杆１２と左後腕杆１３と後側杆部３ｈが横並びに連続し、後側杆部３ｈと右後腕杆１２および左後腕杆１３の長さを加算した大きさの洗濯物を各ピンチ９に渉り広げて吊下げ、方位角調整部４で太陽光線と正対する向きに整え、直達日射量を受けさせられることになる。
【００１６】
図１３には本発明の物干し具におけるロック部の他の実施例を示しており、ロック部１５は両端の鉤部１５ａを右短辺杆部３ｃの掛け部１６と右腕杆５の掛け部１７に掛止することで、右腕杆５を開き位置にロックおよびロック解除可能に形成してある。同様に、ロック部１５における両端の鉤部１５ａを左短辺杆部３ｄの掛け部１８と左腕杆６の掛け部１９に掛止することで、左腕杆６を開き位置にロックおよびロック解除可能に形成してある。
【図面の簡単な説明】
【００１７】
【図１】本発明の物干し具における実施の１形態を例示している正面図。
【図２】平面図。
【図３】フック周りの部分拡大正面図。
【図４】ピンチ周りの部分拡大正面図。
【図５】吊り枠と腕杆の軸支部分周りの部分拡大図。
【図６】係止部と被係止部周りの部分拡大図。
【図７】ロック部周りの部分拡大図。
【図８】左右の腕杆を開いた状態の概略図。
【図９】本発明の物干し具における実施の他の１形態を例示している概略図。
【図１０】腕杆を開いた状態を拡大して示す概略図。
【図１１】本発明の物干し具における実施の他の１形態を例示している概略図。
【図１２】本発明の物干し具における実施の他の１形態を例示している概略図。
【図１３】本発明の物干し具におけるロック部の他の実施例を示す部分拡大図。
【符号の説明】
【００１８】
１  フック
１ａ  下端軸部
２  吊下げ部材
２ａ  鎖部
３  吊り枠
３ａ  前長辺杆部
３ａ１  前長辺杆右端部
３ａ２  前長辺杆左端部
３ａ３  被係止部
３ｂ  後長辺杆部
３ｂ１  後長辺杆右端部
３ｂ２  被係止部
３ｂ３  後長辺杆左端部
３ｃ  右短辺杆部
３ｄ  左短辺杆部
３ｅ  補強杆
３ｆ  前辺杆部
３ｇ  前側杆部
３ｈ  後側杆部
４  方位角調整部
４ａ  フック取付部
４ｂ  縦軸部
４ｃ  歯部
４ｄ  吊下げ部材取付部
４ｅ  歯部
５  右腕杆（腕杆）
５ａ，６ａ  係止部
５ｂ，６ｂ  先腕部
５ｃ，６ｃ  通し部
６  左腕杆（腕杆）
７，８，１５  ロック部
７ａ，８ａ  筒状ガイド
７ｂ，８ｂ  ロッド
７ｃ，８ｃ  ビス
９  ピンチ
１０  右前腕杆
１１  左前腕杆
１２  右後腕杆
１３  左後腕杆
１４  かんぬき
１５ａ  鉤部
１６，１７，１８，１９  掛け部
【図１】
2006346426.tif 000003
【図２】
2006346426.tif 000004
【図３】
2006346426.tif 000005
【図４】
2006346426.tif 000006
【図５】
2006346426.tif 000007
【図６】
2006346426.tif 000008
【図７】
2006346426.tif 000009
【図８】
2006346426.tif 000010
【図９】
2006346426.tif 000011
【図１０】
2006346426.tif 000012
【図１１】
2006346426.tif 000013
【図１２】
2006346426.tif 000014
【図１３】
2006346426.tif 000015